(57)【要約】【課題】放送コンテンツの制作をより簡易かつ低コストで行うことができ、かつ第３者により放送内容の改変が行われることを防止するエリア放送システムを提供する。【解決手段】放送素材を受信して放送コンテンツを生成するコンテンツサーバ１４と、配信サーバ３４、およびエリア放送変調部５６とを有し、ワンセグ受信機６２を介した視聴を可能とするエリア放送システムであって、コンテンツサーバ１４では、ユーザ認証処理と、放送素材に基づいて、予め定められた放送時間枠に合致した放送コンテンツの作成を行うコンテンツ生成処理とが行われる。また、配信サーバ３４では、放送コンテンツをエンコードする処理が成される。さらに、エリア放送変調部５６には、ワンセグ変調機５８と、変調された信号を送信するアンテナ６０と、が設けられている。そして、エリア放送システムは、放送素材の受信をトリガとして、変調信号の送信までの作業を自動で行う。【選択図】図１
2015050618.tif 000002
【特許請求の範囲】
【請求項１】
投稿端末から送信された放送素材を受信して放送コンテンツを生成するコンテンツ生成手段と、コンテンツ生成手段によって生成された放送コンテンツを配信するコンテンツ配信手段と、前記コンテンツ配信手段により配信された放送コンテンツをエリア放送として送信するコンテンツ変調手段とを有し、受信端末を介して復調した前記放送コンテンツを視聴可能とするエリア放送システムであって、
前記コンテンツ生成手段では、投稿者に対して予め与えられた認証コードに基づく認証を行うユーザ認証処理と、前記ユーザ認証処理により投稿が許可された前記投稿者からの前記放送素材を受信し、当該放送素材に基づいて、予め定められた放送時間枠に合致した前記放送コンテンツの作成を行うコンテンツ生成処理と、が行われ、
前記コンテンツ配信手段では、前記放送コンテンツを配信用データにエンコードする処理が成され、
前記コンテンツ変調手段には、エンコード処理された前記配信用データをエリア放送用信号に重畳させる変調機と、変調された信号を送信するアンテナと、が設けられており、
前記放送素材の受信をトリガとして、前記変調信号の送信までの作業を自動で行うことを特徴とするエリア放送システム。
【請求項２】
前記コンテンツ配信手段は、前記放送コンテンツの更新が無い場合に、前記コンテンツ変調手段に対して前記放送時間枠単位の配信用データを繰り返し送信することを特徴とする請求項１に記載のエリア放送システム。
【請求項３】
前記放送時間枠を複数に分割し、分割時間枠のそれぞれに、前記投稿者の認証コードを関連付け、
前記分割時間枠単位での前記放送コンテンツの更新を可能にしたことを特徴とする請求項１または２に記載のエリア放送システム。
【請求項４】
前記放送時間枠において、前記分割時間枠の放送順序が予め定められていることを特徴とする請求項３に記載のエリア放送システム。
【請求項５】
前記コンテンツ生成処理により生成された放送コンテンツのうち、映像コンテンツをデジタルサイネージに表示する映像として利用することを特徴とする請求項１乃至４のいずれか１項に記載のエリア放送システム。
【発明の詳細な説明】
【技術分野】
【０００１】
本発明は、地上デジタル放送に関連する技術に係り、特に１３に分割されたセグメントのうち１セグメントを使用したエリア放送（ワンセグ放送）に関する。
【背景技術】
【０００２】
ホワイトスペースの有効利用に関し、総務省によるエリア放送の制度化（２０１２年４月）を受け、狭小地域におけるエリア放送が注目を集めている。
しかし、実際にエリア放送を行うにあたっては、放送時間枠に適した放送内容を得るために、比較的多くの時間と費用を要するといった実状がある。このため、配信者側は、１つの放送を複数回視聴しても飽きが来ないように、丁寧な作りこみや編集を行うようになり、より多くの費用と労力を費やすこととなっていた。このため、必然的に放送コンテンツの更新頻度は低下し、放送による提供情報の鮮度が低くなりがちになってしまうといった実情がある。
【０００３】
このような実状に鑑み、特許文献１には、エリア放送をより簡易に行うための技術が開示されている。特許文献１には、広告主や施設運営者等の放送送信者（配信者）が作成した放送コンテンツ（第１の情報）をシステムに投稿することで、システムが自動的に放送形式を構成し、これを放送するというものである。そして、この第１の情報を視聴した番組閲覧者が、独自に撮影した映像や情報を、第１の情報に関連する情報であるとして、放送コンテンツの一部情報（第２の情報）としてシステムに投稿することで、新たな放送コンテンツの構築が完了するというものである。
【先行技術文献】
【特許文献】
【０００４】
【特許文献１】特開２０１０−１４１４８４号公報
【発明の概要】
【発明が解決しようとする課題】
【０００５】
特許文献１に開示されている技術によれば、放送素材をシステムに投稿するだけで放送コンテンツが定まるため、放送コンテンツを得るための時間や費用の負担は少なくなる。また、放送素材の投稿は、比較的簡易に行うことができるため、鮮度の高い情報を提供することが可能となる。
【０００６】
しかし、視聴者による投稿は、必ずしも放送内容に適した情報であるという補償が無い。このため、特許文献１に開示されている技術では、視聴者による放送内容の変更、更新が成されることで、本来のエリア放送の優位性が失われる可能性がある。
【０００７】
そこで本発明では、放送コンテンツの制作をより簡易かつ低コストで行うことができ、かつ第３者による放送内容の改変が成されることを防止することのできるエリア放送システムを提供することを目的とする。
【課題を解決するための手段】
【０００８】
上記目的を達成するための本発明に係るエリア放送システムは、投稿端末から送信された放送素材を受信して放送コンテンツを生成するコンテンツ生成手段と、コンテンツ生成手段によって生成された放送コンテンツを配信するコンテンツ配信手段と、前記コンテンツ配信手段により配信された放送コンテンツをエリア放送として送信するコンテンツ変調手段とを有し、受信端末を介して復調した前記放送コンテンツを視聴可能とするエリア放送システムであって、前記コンテンツ生成手段では、投稿者に対して予め与えられた認証コードに基づく認証を行うユーザ認証処理と、前記ユーザ認証処理により投稿が許可された前記投稿者からの前記放送素材を受信し、当該放送素材に基づいて、予め定められた放送時間枠に合致した前記放送コンテンツの作成を行うコンテンツ生成処理と、が行われ、前記コンテンツ配信手段では、前記放送コンテンツを配信用データにエンコードする処理が成され、前記コンテンツ変調手段には、エンコード処理された前記配信用データをエリア放送用信号に重畳させる変調機と、変調された信号を送信するアンテナと、が設けられており、前記放送素材の受信をトリガとして、前記変調信号の送信までの作業を自動で行うことを特徴とするエリア放送システム。
【０００９】
また、上記のような特徴を有するエリア放送システムでは、前記コンテンツ配信手段は、前記放送コンテンツの更新が無い場合に、前記コンテンツ変調手段に対して前記放送時間枠単位の配信用データを繰り返し送信する構成とすると良い。
【００１０】
このような構成とすることで、同じデータを複数回取り込み、変換するという処理を行うことが無くなる。よって、コンテンツ配信手段における処理負担が軽減される。また、コンテンツ生成手段におけるデータの更新があった場合には、コンテンツ配信手段は、遅滞無く、更新データの取り込み、変換を行うことが可能となる。
【００１１】
また、上記のような特徴を有するエリア放送システムでは、前記放送時間枠を複数に分割し、分割時間枠のそれぞれに、前記投稿者の認証コードを関連付け、前記分割時間枠単位での前記放送コンテンツの更新を可能にすることができる。
【００１２】
このような構成とすることで、投稿者が新たな投稿を行うことによりデータの更新が成された場合に、該当する投稿者の分割時間枠のみを更新データに入れ替えて配信用データを生成することができる。
【００１３】
また、上記のような特徴を有するエリア放送システムでは、前記放送時間枠において、前記分割時間枠の放送順序が予め定められているようにすると良い。
【００１４】
このような構成とすることによれば、視聴を望む投稿者の放送がいつ放送されるのかを予測することが可能となる。
【００１５】
さらに、上記のような特徴を有するエリア放送システムでは、前記コンテンツ生成処理により生成された放送コンテンツのうち、映像コンテンツをデジタルサイネージに表示する映像として利用するようにしても良い。
【００１６】
デジタルサイネージに映像コンテンツを表示することによれば、視聴者が受信端末を所持していない場合であっても、デジタルサイネージ周辺の人々に、広く投稿内容を視聴してもらうことが可能となる。
【発明の効果】
【００１７】
上記のような特徴を有するエリア放送システムによれば、放送コンテンツの制作をより簡易かつ低コストで行うことが可能となる。また、第３者により放送内容の改変を防止することもできる。
【図面の簡単な説明】
【００１８】
【図１】第１の実施形態に係るエリア放送システムの全体構成と、各部の機能について説明するためのブロック図である。
【図２】映像コンテンツ枠の１つが更新された際に、放送時間枠全体における映像コンテンツの更新方法の一例を説明するための図である。
【図３】映像コンテンツ枠の１つが更新された際に、放送時間枠全体における映像コンテンツの更新方法の他の例を説明するための図である。
【図４】第１の実施形態に係るエリア放送システムにおける放送素材の投稿からエリア放送が完了するまでの流れを説明するためのフローである。
【図５】第２の実施形態に係るエリア放送システムの全体構成と、相違点の機能について説明するためのブロック図である。
【発明を実施するための形態】
【００１９】
以下、本発明のエリア放送システムに係る実施の形態について、図面を参照しつつ詳細に説明する。まず、図１を参照して、第１の実施形態に係るエリア放送システムについて説明する。
【００２０】
本実施形態に係るエリア放送システム１０は、投稿端末１２と、コンテンツサーバ（コンテンツ生成手段）１４、配信サーバ（配信手段）３４、及びエリア放送変調部（コンテンツ変調手段）５６を基本として構成されており、受信端末（ワンセグ受信機）６２を介して視聴することができる。
【００２１】
投稿端末１２は、スマートフォンやタブレット型通信端末、ノートパソコン等の携帯型端末の他、インターネット等の情報通信網に接続可能な端末であれば、デスクトップパソコン等の固定型端末であっても良い。投稿端末を汎用機器とすることで、システムを構成する上での初期費用のコストを抑えることができる。また、使い慣れた携帯型端末等を投稿端末１２とすることで、各種操作を感覚的に行うことが可能となり、投稿頻度の向上を図ることができる。
【００２２】
投稿端末１２からの投稿方式は種々選択することができる。例えば、メールに、放送用の映像や画像等の放送素材を添付し、これを送信することで投稿する方法や、アクセス先のサイトに定められた投稿枠が投稿端末１２に表示され、該当する枠内に放送素材を添付し、これを転送する方法、及び予め投稿専用のアプリケーションソフトをダウンロードし、当該アプリケーションソフトによる案内に従って放送素材を入力し、送信することで投稿するといったもの等を挙げることができる。
【００２３】
コンテンツサーバ１４は、素材受け入れのためのインターフェースを提供し、投稿された放送素材を所定の形式に変換（コンテンツ化）して蓄積保存する役割を担うシステムである。本実施形態に係るコンテンツサーバ１４は、ユーザ認証処理１６と、画像・テキスト取込処理１８、映像取込処理２４、サイズ・フォーマット変換処理２０，２６、およびデータ放送コンテンツ生成処理２２といった各種処理を実施するためのソフトウェアやプログラムを記録している記憶部や、これらのソフトウェアやプログラムによる処理を実行する演算部（いずれも不図示）を備え、記憶部には、データ放送コンテンツデータベース（以下、データ放送コンテンツＤＢ２８と称す）や、データ放送テンプレート３０、および映像コンテンツデータベース（以下、映像コンテンツＤＢ３２と称す）等が構築保存されている。
【００２４】
コンテンツサーバ１４で成される各種処理のうち、ユーザ認証処理１６は、エリア放送に用いる放送素材を投稿しようとする投稿者が、コンテンツサーバ１４に対してアクセス可能か否かを判定する処理である。具体的には、ユーザ認証処理１６は、投稿端末１２を介して投稿者が入力するユーザＩＤとパスワードのような認証コードに基づいて行われる。なお、認証が許可された投稿者は、コンテンツサーバ１４にアクセスして、放送素材の投稿を行うことができる。認証が許可されなかった投稿者はコンテンツサーバ１４へのアクセスが拒否され、放送素材の投稿を行うことができない。このようなアクセス制限を設けることで、第３者による投稿により、放送コンテンツが予期せぬ更新や改変を成されることを避けることができる。
【００２５】
画像・テキスト取込処理１８は、ユーザ認証処理１６を経て、投稿端末１２を介して投稿された放送素材のうち、画像素材（写真、ロゴマークなどの画像形式データ）や文字テキスト（画像に対するコメントやＵＲＬなどのテキスト要素）などを取り込む処理である。画像や文字テキストの投稿は、例えば、ユーザ認証処理１６後に投稿端末１２に表示される入力画面（投稿用テンプレート）へ、画像や文字テキスト等を入力し、入力終了後にコンテンツサーバ１４へ転送することで行うことができる。なお、投稿用テンプレートは、コンテンツサーバ１４の記憶部に記録されており、アクセス時に投稿端末１２の表示部に表示させるようにしても良いし、投稿用のアプリケーションとして、予め投稿端末１２にダウンロードさせておくようにしても良い。
【００２６】
映像取込処理２４は、投稿端末１２を介して投稿された放送素材のうち、エリア放送（ワンセグ放送等）に使用する映像・音声等から構成される映像素材を取り込む処理である。映像素材の投稿も、ユーザ認証処理１６後に投稿端末１２に表示される入力画面（投稿用テンプレート）へ、映像素材を入力（添付）し、コンテンツサーバ１４へ転送することで行うことができる。映像取込処理２４では、投稿可能な映像の尺度（時間枠）を予め定めることで、その尺度内で放送することのできる映像の投稿を促すことができる。よって、予め定める映像の尺度を短くすることで、より気軽で頻度の高い投稿を促すことができる。また、投稿された映像に関しては、投稿された映像を予め定められた尺度に当て嵌めた場合、どのようなものとなるのかをプレビューすることを可能な構成としても良い。投稿映像をプレビューすることで、投稿映像が尺度をオーバーしていて、予期せぬところでカットされてしまうといった事態、およびそのような映像が放映されてしまうといったトラブルを避けることが可能となる。
【００２７】
サイズ・フォーマット変換処理２０，２６は、投稿された画像素材や映像素材のサイズ（素材の縦・横ピクセル数）やフォーマットを、エリア放送に用いるサイズ、およびフォーマットにそれぞれ変換し、コンテンツサーバ１４に蓄積保存する（画像と映像で異なる）処理である。なお、投稿された画像素材と映像素材は、利用可能範囲やフォーマット等が異なるため、それぞれ個別にサイズ・フォーマット変換処理２０，２６を行う。
【００２８】
データ放送コンテンツ生成処理２２は、ワンセグ放送等のエリア放送に利用するＢＭＬ（Ｂｒｏａｄｃａｓｔ  Ｍａｒｋｕｐ  Ｌａｎｇｕａｇｅ）ファイルを生成する処理を行う。具体的には、詳細を後述するデータ放送テンプレートの各入力項目に対し、サイズ・フォーマット変換が完了し、コンテンツサーバ１４に記録されている画像素材へのリンク情報と、投稿された文字テキストを埋め込むという処理を行う。
【００２９】
また、データ放送コンテンツＤＢ２８は、データ放送コンテンツ生成処理２２により生成されたＢＭＬファイル、およびＢＭＬファイルにリンクとして埋め込まれた画像素材から成るデータ放送コンテンツを蓄積保存すること、および必要とするデータ放送コンテンツを読み出し可能とするデータベースである。
【００３０】
データ放送テンプレート３０は、ワンセグ放送等のエリア放送を放映する際のデータ放送の画面レイアウト（画像素材や文字テキストを埋め込むための位置や配置）を定めるためのテンプレートである。予め作成されたテンプレートに対し、サイズやフォーマットが変換されたデータ放送コンテンツを合わせ込む処理とすることで、人手を介することなく自動処理することが可能となる。
【００３１】
映像コンテンツＤＢ３２は、サイズ・フォーマット変換が完了した映像素材を１つの映像コンテンツとして蓄積保存、および必要とする映像コンテンツを読み出し可能とするデータベースである。
【００３２】
配信サーバ３４は、コンテンツサーバ１４上で新たに更新された放送コンテンツを取り込んで、所定の規則にしたがって放送信号情報をエリア放送変調部５６に配信するシステムである。配信サーバ３４も、コンテンツサーバ１４同様に図示しないが、少なくともデータ放送コンテンツや映像コンテンツ等の放送コンテンツを受け入れるためのインターフェースと、各種処理を実行するための演算部、および各種処理を行うためのプログラム等を保存している記憶部を備えている。本実施形態に係る配信サーバ３４は、メディアプレーヤ部３６とエリア放送エンコード部４４で構成される。
【００３３】
メディアプレーヤ部３６は、映像コンテンツの更新管理に係る処理部である。具体的には、更新コンテンツ取込処理３８と、コンテンツ送出順序更新処理４０、およびコンテンツ送出処理４２といった各種処理を行う。更新コンテンツ取込処理３８は、コンテンツサーバ１４における映像コンテンツＤＢ３２に蓄積保存されている映像コンテンツのうち、更新された映像コンテンツをメディアプレーヤ部３６に取り込むための処理である。具体的には、予め定めた時間間隔で、コンテンツサーバ１４における映像コンテンツＤＢ３２を監視（映像コンテンツＤＢ３２へアクセス）し、更新情報（新たな映像コンテンツ）の有無を確認する。更新情報が存在した場合には、更新された映像コンテンツをメディアプレーヤ部３６に転送するという処理である。
【００３４】
コンテンツ送出順序更新処理４０は、放送時間枠内に当てはめられた複数の映像コンテンツの再生、送信順序を更新するための処理である。具体的には、既に転送されている映像コンテンツ（既存の映像コンテンツ）と、新たに転送された映像コンテンツ（新たな映像コンテンツ）を組み合わせる際の送出順序の取り決めを行う処理である。本実施形態におけるエリア放送は、所定の放送時間枠を複数の映像コンテンツ枠に分割し、１つの映像コンテンツ枠単位で、投稿の更新ができるようにしている。このため、一例としては、図２に示すように、各映像コンテンツ枠の順序は、予め定められており、各映像コンテンツ枠単位に投稿者が定められている場合が挙げられる。このような場合には、投稿者に定められた映像コンテンツ枠に存在する既存の映像コンテンツと、新たな映像コンテンツとを置き換えて、全ての映像コンテンツが再生送信されることとなる。図２の例では、放送順序６番目の投稿者Ｆが映像コンテンツを更新した場合、放送時間枠全体の順序は同じとしつつ、６番目の映像コンテンツ枠のみが更新されることとなる。
【００３５】
また、他の例としては、図３に示すように、新たな映像コンテンツを送出順序の先頭に配置し、放送時間枠内に定められた複数の映像コンテンツを順次送出されるように再生送信するというものを挙げることができる。ここで、新たな映像コンテンツを放送時間枠内の先頭に配置する際、同一投稿者による既存の映像コンテンツは、自動的に削除する構成とすることが望ましい。このような構成とすることで、同一投稿者の映像コンテンツが連続して放送されたり、映像コンテンツを短時間に繰り返し更新することで、複数の映像コンテンツ枠を独占的に使用されることを防ぐことができるからである。
【００３６】
なお、各映像コンテンツ枠は、ユーザ認証処理１６の際に使用する認証コードと関連付けることで、新たに更新された映像コンテンツが、どの投稿者によるものであるのかを判別することが可能となる。
【００３７】
コンテンツ送出処理４２は、コンテンツ送出順序更新処理４０により更新された送出順序で映像コンテンツを再生送出する処理である。ワンセグ放送では、これらの送出データをキャプチャ取り込みしながら、映像コンテンツを放送・表示することとなる。
【００３８】
エリア放送エンコード部４４は、コンテンツサーバ１４におけるデータ放送コンテンツＤＢ２８に蓄積されたデータ放送コンテンツと、メディアプレーヤ部３６で処理されて放送順序が定められた映像コンテンツとを合わせ込み、エリア放送可能な放送信号情報としてエリア放送変調部５６へ送出するための処理部である。具体的な処理としては、更新データ放送取込処理４６と、映像取込（キャプチャ）処理４８、エンコード処理、多重化処理５２、およびＩＰパケット化処理５４などが行われる。更新データ放送取込処理４６は、コンテンツサーバ１４におけるデータ放送コンテンツＤＢ２８に蓄積保存されているデータ放送コンテンツのうち、更新されたデータ放送コンテンツをエリア放送エンコード部４４に取り込むための処理である。具体的には、予め定めた時間間隔で、コンテンツサーバ１４におけるデータ放送コンテンツＤＢ２８を監視（データ放送コンテンツＤＢ２８へアクセス）し、更新情報（新たなデータ放送コンテンツ）の有無を確認する。更新情報が存在した場合には、更新されたデータ放送コンテンツをエリア放送エンコード部４４に転送するという処理である。
【００３９】
映像取込処理４８は、メディアプレーヤ部３６が送出する複合的な映像コンテンツをリアルタイムでキャプチャ取り込みする処理である。一例としてＨＤＭＩ（登録商標）による映像・音声を信号としてキャプチャする方法が知られている。他の例として、映像・音声をパケットデータとしてキャプチャする方法がなども存在する。
【００４０】
エンコード処理５０は、キャプチャ取り込みした映像コンテンツに、地上デジタルテレビジョン放送規格に従った変換処理を施し、放送データ形式に変換する処理である。
【００４１】
多重化処理５２は、エンコードした映像コンテンツと転送されたデータ放送コンテンツを放送可能なデータ形式の単位で多重化する処理である。また、本実施形態では、前述のような多重化処理に加え、地上デジタルテレビジョン放送規格に従った制御情報も付加して、映像コンテンツ、データ放送コンテンツ、制御情報が多重化された放送信号情報を生成する処理を行う。
【００４２】
ＩＰパケット化処理５４は、生成した放送信号情報を、インターネットで伝送可能なデータ形式に変換し、エリア放送変調部５６に送信する処理である。なお、上記説明では、映像コンテンツやデータ放送コンテンツが更新された場合に、各種データが新たに取り込まれ、変換され、送信される旨説明した。しかしながら、所定間隔でのデータ放送コンテンツＤＢ２８や、映像コンテンツＤＢ３２監視時に、データの更新が無い場合には、再度データの取込、変換を行う事無く、ＩＰパケット化処理５４後の信号を、繰り返し送信するようにすると良い。同じデータを送信するために、同じデータの取込や変換処理を複数回繰り返すことは、処理の負担を増やし、データ送信の遅延を招く虞が生じるからである。また、データの更新が無い場合には、変換後のデータ送信を繰り返す構成としておくことで、データの更新が生じた場合に、遅滞無く、新たなデータの取込、変換を行うことが可能となる。
【００４３】
エリア放送変調部５６は、ＩＰパケット化された放送信号情報を受信してエリア放送するための処理部である。エリア放送変調部５６は、エリア放送変調機（ワンセグ変調機５８）と、アンテナ６０を主体として構成されている。ワンセグ変調機５８は、受信したＩＰパケット化された放送信号情報を復元して、地上デジタルテレビジョン放送規格の電波として変調・増幅する役割を担う。そして、アンテナ６０は、変調・増幅したエリア放送電波を射出する役割を担う。
【００４４】
受信端末（ワンセグ受信機６２）は、ワンセグ放送等のエリア放送を受信し、受信した信号を復調し、これを映像、および文字データとして表示することができる端末であれば良い。受信端末の具体的な例としては、携帯電話やタブレット型通信端末、ノートＰＣなど、携帯性に優れた端末であることが望ましい。エリア放送は、所定の挟範囲なエリアを主体とした放送であるため、信号を受信可能なエリアへ持ち込み可能な端末とすることが望ましいからである。
【００４５】
以下、上記のような構成のエリア放送システムを用いた放送素材の投稿から、エリア放送が放映されるまでの流れについて、図４を参照して説明する。
まず、スマートフォン等の携帯端末を投稿端末１２として利用し、エリア放送用の素材を収集、作成する。放送素材を収集、作成した後、これらを投稿するために、コンテンツサーバ１４へアクセスする（Ｓ１）。
【００４６】
次に、ユーザ認証処理１６を経てコンテンツサーバ１４へ投稿された放送素材は、画像、および文字テキストから成る画像素材と、映像素材とに分別される（Ｓ２）。分別された素材のうち、画像・文字テキストから成る画像素材は、サイズ、およびフォーマットを予め定められた形式に変換され、データ放送テンプレートに埋め込まれ、データ放送コンテンツとして生成される（Ｓ３）。生成されたデータ放送コンテンツは、投稿者単位のデータ管理枠に関連付けて、データ放送コンテンツＤＢ２８に蓄積保存される（Ｓ４）。
【００４７】
一方、映像素材は、画像素材と同様に、サイズ、およびフォーマットを変換された後、映像コンテンツとして、映像コンテンツＤＢ３２に、蓄積保存される。蓄積保存される映像コンテンツは、データ放送コンテンツと同様に、投稿者単位のデータ管理枠に関連付けて保存される（Ｓ５）。
【００４８】
映像コンテンツＤＢ３２に蓄積保存された映像コンテンツに更新データが記録されると、メディアプレーヤ部３６に取り込まれ、コンテンツの送出順序等の更新が成されエリア放送エンコード部４４へ送出される。また、データ放送コンテンツＤＢ２８に蓄積保存されたデータ放送コンテンツに更新データが記録されると、エリア放送エンコード部４４へと取り込まれる（Ｓ６）。
【００４９】
エリア放送エンコード部４４へ取り込まれたデータ放送コンテンツおよび映像コンテンツは、一纏りの更新コンテンツとして扱われ、映像コンテンツに対しては、エンコード処理が施される（Ｓ７）。エンコード処理が成された更新コンテンツは、多重化処理が施され、ＩＰパケット化処理を経て、エリア放送変調部５６へと送出される（Ｓ８）。
【００５０】
エリア放送変調部５６では、ワンセグ変調機５８を介してＩＰパケット化された送信信号情報を復元して、地上デジタルテレビジョン放送規格の電波へと変調し、これを増幅して、アンテナ６０からワンセグ放送電波として射出する（Ｓ９）。
【００５１】
射出されたワンセグ放送電波をワンセグ受信機６２等の受信端末が受信することで、ワンセグ放送の視聴が可能となる。
【００５２】
上記のような構成のエリア放送システム１０によれば、各投稿者に与えられる放送枠（映像コンテンツ枠）は、放送時間枠全体に比べて短いものとなる（例えば１０秒など）。このため、大掛かりな編集作業等を必要としなくとも、映像コンテンツとしての体を成すことができる。よって、映像コンテンツを作成するために多大な労力や資金を投入する必要性が少なくなる。
【００５３】
また、映像コンテンツの作成に、多大な労力や資金を必要とせず、短時間での作成が可能となることより、映像コンテンツの更新頻度を高め、鮮度の高い情報を発信することが可能となる。よって、エリア放送の更新頻度が高められ、視聴率の向上を図ることができるようになる。
【００５４】
次に、本発明のエリア放送システムに係る第２の実施形態について、図５を参照して説明する。本実施形態に係るエリア放送システム１０Ａの殆どの構成は、上述した第１の実施形態に係るエリア放送システム１０と同様である。よって、その構成を同一とする箇所には、図面に同一符号を付して、詳細な説明を省略する。
【００５５】
第１の実施形態に係るエリア放送システム１０と、本実施形態に係るエリア放送システム１０Ａとの相違点としては、作成された映像コンテンツを、エリア放送のみでなく、サイネージとしても利用するという点である。このため、本実施形態に係るエリア放送システム１０Ａでは、サイネージ配信部７０と、サイネージ表示部７６を備える構成としている。
【００５６】
サイネージ配信部７０は、メディアプレーヤ部３６から送出された映像コンテンツを、詳細を後述するサイネージ表示部７６により表示可能な形式に変換して出力する変換処理部である。よって、サイネージ配信部７０では、映像取込（キャプチャ）処理７２と、ストリーム配信処理７４が成される。映像取込処理７２は、メディアプレーヤ部３６が送出する映像コンテンツをリアルタイム処理でキャプチャ取り込みする処理である。一例としては、ＨＤＭＩ（登録商標）による映像・音声を信号としてキャプチャする方法などがある。また、他の例としては、映像・音声をパケットデータとしてキャプチャする方法が考えられる。
【００５７】
ストリーム配信処理７４とは、キャプチャ取り込みした映像コンテンツをインターネットで伝送可能なデータ形式に変換し、変換した信号をサイネージ信号情報としてサイネージ表示部７６に送信する処理のことである。なお、サイネージ配信部７０も、上述したコンテンツサーバ１４や配信サーバ３４と同様に、図示しないが、各種処理を実行するための演算部や、各種プログラムやソフトを記憶しておく記憶部を備えている。
【００５８】
サイネージ表示部７６は、サイネージ配信部７０から配信されたサイネージ信号情報を受信して、デジタルサイネージ８０に表示する部位である。このため、サイネージ表示部７６は、少なくとも、映像取込（ストリーム）処理７８を行う処理部（不図示）と、映像取込処理７８を行った映像を表示するためのデジタルサイネージ８０とを備えている。
【００５９】
このような特徴を有する本実施形態に係るエリア放送システム１０Ａによれば、エリア放送を受信する受信端末（ワンセグ受信機６２等）を介してチェックする事無く、より幅広い世代の人々に放送内容を視聴してもらうことが可能となる。また、ワンセグ受信機６２等によりエリア放送を受信するためには、初期のチャンネル設定等を視聴者に促す必要がある。しかし、デジタルサイネージ８０により映像コンテンツを配信表示することによれば、視聴側における個別設定等が不要となる。
その他の構成、作用、効果については、上記第１の実施形態に係るエリア放送システム１０と同様である。
【００６０】
なお、上記第１の実施形態では、コンテンツサーバ１４と配信サーバ３６について、第２の実施形態では、コンテンツサーバ１４と配信サーバ３６、およびサイネージ配信部７０について、それぞれの機能等の説明を簡単化するために、その機能に応じて分別された形態として示し、その旨説明した。しかしながら、上記それぞれの構成要素の機能を発揮可能な構成であれば、コンテンツサーバ１４、配信サーバ３６、およびサイネージ配信部７０等を１つの構成要素とした上で、エリア放送システムを構築したとしても、本発明の一部としてみなすことができる。
【符号の説明】
【００６１】
１０………エリア放送システム、１２………投稿端末、１４………コンテンツサーバ、１６………ユーザ認証処理、１８………画像・テキスト取込処理、２０………サイズ・フォーマット変換処理、２２………データ放送コンテンツ生成処理、２４………映像取込処理、２６………サイズ・フォーマット変換処理、２８………データ放送コンテンツＤＢ、３０………データ放送テンプレート、３２………映像コンテンツＤＢ、３４………配信サーバ、３６………メディアプレーヤ部、３８………更新コンテンツ取込処理、４０………コンテンツ送出順序更新処理、４２………コンテンツ送出処理、４４………エリア放送エンコード部、４６………更新データ放送取込処理、４８………映像取込処理、５０………エンコード処理、５２………多重化処理、５４………ＩＰパケット化処理、５６………エリア放送変調部、５８………ワンセグ変調機、６０………アンテナ、６２………受信端末、７０………サイネージ配信部、７２………映像取込処理、７４………ストリーム配信処理、７６………サイネージ表示部、７８………映像取込処理、８０………デジタルサイネージ。
【図１】
2015050618.tif 000003
【図２】
2015050618.tif 000004
【図３】
2015050618.tif 000005
【図４】
2015050618.tif 000006
【図５】
2015050618.tif 000007